(57)【特許請求の範囲】
【請求項１】
固定框を取付面に固定し、移動框を直角ランナーでハンガーレールに沿って移動可能に吊下支持し、前記固定框及び移動框の下部に案内部材の端部をそれぞれ屈曲案内し、前記固定框及び移動框の上部から各框内にコード案内ローラーを介して連結コードを案内するとともに、該連結コードの端部を前記各框内の下部でターンローラーに掛装して反転させ、前記案内部材の端部に接続して緊張したことを特徴とする框の平行移動装置。
【請求項２】
固定框を取付面に固定し、移動框をハンガーレールに沿って移動可能に吊下支持し、前記固定框及び移動框の下部に案内部材の端部をそれぞれ屈曲案内し、前記固定框及び移動框の上部から各框内にコード案内ローラーを介して連結コードを案内するとともに、該連結コードの端部を前記各框内の下部でターンローラーに掛装して反転させ、前記案内部材の端部に接続して緊張し、前記移動框の傾動を防止する平行コードを該移動框に掛装したことを特徴とする框の平行移動装置。
【請求項３】
一対の框を直角ランナーでハンガーレールに沿ってそれぞれ移動可能に吊下支持し、前記一対の框の下部に案内部材の端部をそれぞれ屈曲案内し、前記一対の框の上部から各框内にコード案内ローラーを介して連結コードを案内するとともに、該連結コードの端部を前記各框内の下部でターンローラーに掛装して反転させ、前記案内部材の端部に接続して緊張したことを特徴とする框の平行移動装置。
【請求項４】
前記各框でカーテン生地の両端部を支持し、前記カーテン生地の中間部を、ハンガーレールに沿って移動可能に支持されたスクリーン支持ランナーで吊下支持し、前記スクリーン支持ランナー移動軌跡は前記各框を支持するランナーの移動軌跡に対しオフセットして配設したことを特徴とする請求項１乃至３のいずれかに記載の框の平行移動装置。
【請求項５】
前記各框に設けた直角ランナーにおいて、前記各框の上部からオフセットして設けた回転輪を片持ち支持し、前記ハンガーレール内において前記回転輪の移動軌跡を互いにオフセットしたことを特徴とする請求項３記載の框の平行移動装置。
【請求項６】
前記平行コードは、一端を前記固定框の下端部に固定し、他端部を前記移動框のターンローラーに掛装して該移動框内を上方へ案内し、該移動框の上端部に設けたコード案内ローラーを介して該移動框の外部へ案内し、前記移動框側の前記ハンガーレール端部に固定したことを特徴とする請求項２記載の框の平行移動装置。
【発明の詳細な説明】
【０００１】
【発明の属する技術分野】
この発明は、横引きプリーツカーテン、横引きプリーツ網戸、縦型ブラインド、伸縮ルーバー、自立式伸縮間仕切りあるいは横引きロールブラインドの移動框を平行移動させる平行移動装置に関するものである。
【０００２】
【従来の技術】
特開平１０−２８０８３７号公報に記載されたスクリーン装置では、スクリーン部材の上下に配設される棒状体の一端が一方の框に固定され、他端は他方の框に屈曲しながら案内される。そして、棒状体にはＸ交差するワイヤーが接続され、閉ループが形成されて連動することにより、框が平行移動する構成が開示されている。
【０００３】
棒状体は、軸方向に圧縮力が作用しても座屈しにくくかつ軸方向のヤング率が低く上下方向に屈曲しやすい材料で構成される。
特開平９−１３８４８号公報には、第一及び第二の案内部材の一端が固定され、他端が框内をとおって上下レールに案内され、框内のスプロケットの同調作用により框が平行移動する構成が開示されている。
【０００４】
案内部材の材質は、軸方向に圧縮力が作用しても座屈せず、かつコーナー部分では容易に屈曲可能とする可撓性を備えた薄板状のバネ鋼が開示されている。
【０００５】
【発明が解決しようとする課題】
特開平１０−２８０８３７号公報に記載された構成では、棒状体は框の上下に設けられたプーリーの間隔内でしか移動できないので、框の最大移動距離はほぼ框の高さに限定されるという問題点がある。
【０００６】
特開平９−１３８４８号公報に記載された構成では、案内部材が長尺となったとき、その撓みを防止するために下部レールを設けているため、バリアフリーが要求される間仕切りには適用できないという問題点がある。
【０００７】
また、スプロケットを用いた同調機構が必要となり、かつ案内部材にスプロケットと噛み合う多数の孔を設ける必要があるため、コストが上昇するという問題点がある。
【０００８】
この発明の目的は、框の最大移動距離は框の高さに限定されず、かつバリアフリーに対応可能としながら、コストの上昇を抑制し得る框の平行移動装置を提供することにある。
【０００９】
【課題を解決するための手段】
請求項１では、固定框を取付面に固定し、移動框を直角ランナーでハンガーレールに沿って移動可能に吊下支持し、前記固定框及び移動框の下部に案内部材の端部をそれぞれ屈曲案内し、前記固定框及び移動框の上部から各框内にコード案内ローラーを介して連結コードを案内するとともに、該連結コードの端部を前記各框内の下部でターンローラーに掛装して反転させ、前記案内部材の端部に接続して緊張した。
【００１０】
請求項２では、固定框を取付面に固定し、移動框をハンガーレールに沿って移動可能に吊下支持し、前記固定框及び移動框の下部に案内部材の端部をそれぞれ屈曲案内し、前記固定框及び移動框の上部から各框内にコード案内ローラーを介して連結コードを案内するとともに、該連結コードの端部を前記各框内の下部でターンローラーに掛装して反転させ、前記案内部材の端部に接続して緊張し、前記移動框の傾動を防止する平行コードを該移動框に掛装した。
【００１１】
請求項３では、一対の框を直角ランナーでハンガーレールに沿ってそれぞれ移動可能に吊下支持し、前記固定框及び移動框の下部に案内部材の端部をそれぞれ屈曲案内し、前記固定框及び移動框の上部から各框内にコード案内ローラーを介して連結コードを案内するとともに、該連結コードの端部を前記各框内の下部でターンローラーに掛装して反転させ、前記案内部材の端部に接続して緊張した。
【００１２】
請求項４では、前記各框でカーテン生地の両端部を支持し、前記カーテン生地の中間部を、ハンガーレールに沿って移動可能に支持されたスクリーン支持ランナーで吊下支持し、前記スクリーン支持ランナー移動軌跡は前記各框を支持するランナーの移動軌跡に対しオフセットして配設した。
【００１３】
請求項５では、前記各框に設けた直角ランナーにおいて、前記各框の上部からオフセットして設けた回転輪を片持ち支持し、前記ハンガーレール内において前記回転輪の移動軌跡を互いにオフセットした。
【００１４】
請求項６では、前記平行コードは、一端を前記固定框の下端部に固定し、他端部を前記移動框のターンローラーに掛装して該移動框内を上方へ案内し、該移動框の上端部に設けたコード案内ローラーを介して該移動框の外部へ案内し、前記移動框側の前記ハンガーレール端部に固定した。
【００１５】
【発明の実施の形態】
（第一の実施の形態）
図１は、この発明を具体化した横引きプリーツカーテンの第一の実施の形態を示す。
【００１６】
一対の框１ａ，１ｂは、ランナー２ａ，２ｂを介してハンガーレール３に吊下支持され、両框１ａ，１ｂ間にカーテン生地４が伸縮可能に支持されている。前記框１ａは、壁面に固定された固定框であり、前記框１ｂは直角ランナー２ｂによりハンガーレール３に沿って移動可能に支持された移動框である。
【００１７】
前記直角ランナー２ｂは、框１ｂの上方に位置する回転輪と、ハンガーレール３の長手方向にオフセットした回転輪とにより、框１ｂを常に垂直方向に維持する。
【００１８】
前記框１ａの下端部には、案内ローラー群５が配設され、その案内ローラー群５には前記カーテン生地４の下部に挿通された案内部材６が掛装され、その案内部材６の一端は、框１ａ内を上方へ案内されている。
【００１９】
前記框１ｂの下端部には、案内ローラー７が配設され、その案内ローラー７には前記案内部材６が掛装され、その案内部材６の一端は、框１ｂ内を上方へ案内されている。そして、前記案内部材６の両端には連結部材８ａ，８ｂがそれぞれ取着されている。
【００２０】
前記框１ａ，１ｂの下部には、ターンローラー９ａ，９ｂが回転可能に支持され、上部には、コード案内ローラー１０ａ，１０ｂが回転可能に支持されている。
【００２１】
前記カーテン生地４の下部には、スクリーン支持コード１１が挿通されている。前記スクリーン支持コード１１の一端は、前記ターンローラー９ａに掛装されて框１ａ内を上方へ案内され、前記連結部材８ａに固定されている。
【００２２】
また、前記スクリーン支持コード１１の他端は、前記ターンローラー９ｂに掛装されて框１ｂ内を上方へ案内され、前記連結部材８ｂに固定されている。
前記カーテン生地４の上部には、連結コード１２が挿通され、その連結コード１２の一端部は前記コード案内ローラー１０ａに掛装されて框１ａ内を下方へ案内され、ターンバックル１３を介してさらに前記ターンローラー９ａに掛装されて上方へ案内され、前記連結部材８ａに固定されている。前記ターンバックル１３は、前記連結コード１２の長さを調節して、同連結コード１２を緊張状態に維持するものである。
【００２３】
前記連結コード１２の他端部は、前記コード案内ローラー１０ｂに掛装されて框１ｂ内を下方へ案内され、さらに前記ターンローラー９ｂに掛装されて上方へ案内され、前記連結部材８ｂに固定されている。
【００２４】
前記ハンガーレール３には、スクリーン支持ランナー１４が移動可能に支持され、そのスクリーン支持ランナー１４により、カーテン生地４の幅方向中間部が吊下支持されている。
【００２５】
図２及び図３に示すように、前記案内部材６は断面が緩く湾曲した鋼材１５の幅方向端部にリブ１６が設けられ、そのリブ１６を重ねあわせるようにして２枚の鋼材１５が突き合わされる。
【００２６】
そして、外面全体を軟質樹脂１７で被覆することにより２枚の鋼材１５が接合されて、筒状に形成されている。
このような案内部材６は、その長手方向に沿った圧縮力に対しては座屈しにくく、厚さ方向すなわち図３において矢印方向に作用する力に対しては、容易に屈曲可能となっている。
【００２７】
また、リブ１６により突き合わせ成形時の幅方向のずれを許容することができ、安定した屈曲性を確保することができる。
上記のように構成された横引きプリーツカーテンでは、移動框１ｂを固定框１ａに近づく方向に移動させると、框１ａ，１ｂ間のカーテン生地４が畳まれる。
【００２８】
このとき、案内部材６は例えばその一端が框１ａ内をその上端まで上昇した後、他端が框１ｂ内を上昇する。また、スクリーン支持コード１１及び連結コード１２は、案内部材６の両端部の上昇とともに框１ａ，１ｂ内に引き込まれる。
【００２９】
一方、移動框１ｂを固定框１ａから離れる方向に移動させると、框１ａ，１ｂ間のカーテン生地４が引き伸ばされる。
このとき、案内部材６は例えばその一端が框１ａ内をその下端まで下降した後、他端が框１ｂ内を下降する。また、スクリーン支持コード１１及び連結コード１２は、案内部材６の両端部の下降とともに框１ａ，１ｂ内から引き出される。
【００３０】
このような動作時に、移動框１ｂは直角ランナー２ｂに支持されているので、移動框１ｂを固定框１ａから離れる方向、すなわちプリーツカーテンの閉方向に移動させるとき、移動框１ｂはその傾きが防止され、固定框１ａと平行な状態に維持される。
【００３１】
また、移動框１ｂを固定框１ａに近づく方向、すなわちプリーツカーテンの開方向に移動させるとき、連結コード１２の作用により、框１ａ，１ｂは常に平行に維持される。
【００３２】
また、案内部材６の両端部は、それぞれ框１ａ，１ｂの下端部から上端部までの範囲で移動可能であるので、框１ａ，１ｂの最大離間距離は、框１ａ，１ｂの高さのほぼ２倍となる。
【００３３】
上記のように構成された横引きプリーツカーテンでは、次に示す作用効果を得ることができる。
（１）框１ａ，１ｂの最大離間距離は、框１ａ，１ｂの高さのほぼ２倍の範囲で設定することができる。
（２）移動框１ｂをプリーツカーテンの開方向及び閉方向に移動させるとき、移動框１ｂを固定框に対し常に平行に維持することができる。
（３）案内部材６あるいは移動框１ｂを支持するための下部レールを設ける必要ないので、バリアフリーの要求に対応することができる。
（４）スプロケットを用いた同調機構は必要なく、かつ案内部材にスプロケットと噛み合う多数の孔を設ける必要もないため、コストを低減することができる。
（５）ターンバックル１３により、連結コード１２が最適に緊張されるように連結コード１２の長さを調整することができる。また、連結コード１２の長さを調整することにより、固定框１ａを固定する壁面が傾いている場合にも、その傾きを吸収することができる。
（６）案内部材６は、３個の小径の案内ローラーで構成される案内ローラー群５で固定框１ａ内に案内される。従って、小径の案内ローラーを使用して、大径の案内ローラーと同等の作用を得ることができるので、案内ローラーの取付けスペースを縮小して、框幅を縮小することができる。
（第二の実施の形態）
図４は、第二の実施の形態を示す。この実施の形態は、ハンガーレール３内におけるスクリーン支持ランナー１４の案内面１８ｂと直角ランナー２ｂの案内面１８ａとを別個に構成したものである。
【００３４】
すなわち、ハンガーレール３内には直角ランナー２ｂの車輪を支持する第一の案内面１８ａと、その下方においてスクリーン支持ランナー１４を支持する第二の案内面１８ｂが形成されている。
【００３５】
そして、第一の案内面１８ａに沿って直角ランナー２ｂが移動し、第二の案内面１８ｂに沿ってスクリーン支持ランナー１４が移動するため、各ランナー２ｂ，１４の移動軌跡はオフセットされた状態となる。
【００３６】
このような構成とすることにより、このプリーツカーテンを全開状態とするとき、ランナー２ａ及び直角ランナー２ｂとスクリーン支持ランナー１４との干渉を防止して、スクリーンの畳み込み寸法を縮小することができる。
（第三の実施の形態）
図５は、第三の実施の形態を示す。前記実施の形態では、固定框１ａを壁面に固定したが、この実施の形態では、框１ａも直角ランナーで吊下支持して、移動框とする。
【００３７】
すなわち、框１ａ，１ｂを直角ランナー１９ａ，１９ｂで吊下支持し、各直角ランナー１９ａ，１９ｂにおいて、框１ａ，１ｂの上方からオフセットされた回転輪２０ａ，２０ｂを片持ち支持する。
【００３８】
そして、直角ランナー１９ａ，１９ｂにおいて、各回転輪２０ａ，２０ｂを点対称状に位置させて、その移動軌跡がオフセットされている。その他の構成は、前記第一の実施の形態と同様である。
【００３９】
このような構成により、框１ａ，１ｂを互いに近づく方向に移動させてカーテン生地４を畳み込むとき、回転輪２０ａ，２０ｂの互いの干渉を防止して、スクリーンの畳み込み寸法を縮小することができる。
（第四の実施の形態）
図６は、第四の実施の形態を示す。この実施の形態は、移動框１ｂが直角ランナーではなく、固定框１ａと同様な一点支持ランナー２１で支持され、移動框１ｂを固定框１ａと平行に維持するために、平行コード２２が設けられている。
【００４０】
前記平行コード２２は、一端が固定框１ａの下部に固定され、移動框１ｂのターンローラー９ｂに掛装されて上方へ案内される。そして、移動框１ｂの上端部において、コード案内ローラー２３に掛装されて、ハンガーレール３に沿って水平方向に案内され、他端がハンガーレール３の端部に固定されている。その他の構成は、前記第一の実施の形態と同様である。
【００４１】
このような構成により、移動框１ｂをカーテン生地４の閉方向、すなわち図６において右方向に移動させるとき、平行コード２２の作用により移動框１ｂの同方向への傾きは阻止することができる。
【００４２】
一方、移動框１ｂをカーテン生地の開方向に移動させるときには、連結コード１２により移動框１ｂの同方向への傾きを阻止することができる。
上記実施の形態は、次に示すように変更することもできる。
・ターンバックル１３に代えて、コイルスプリングで連結コード１２を緊張する構成としてもよい。
・固定框１ａは、ランナー２ａに吊下支持することなく壁面に固定する構成としてもよい。
・前記案内部材６は、１枚の鋼材で形成してもよい。
・框１ａ，１ｂ間において、縦型ブラインドの複数のスラットをハンガーレールから吊下支持し、框１ａ，１ｂの移動操作により、スラットを引き出し及び畳み込み可能とする縦型ブラインドに応用することもできる。
・固定框にロールブラインドのスクリーン巻取軸を支持するとともに、その框内にスクリーン巻取装置を具備し、移動框にスクリーンの端部を取着して、移動框の操作により、スクリーンの引き出し及び畳み込みを可能とする横引型ロールブラインドに応用することもできる。
【００４３】
上記実施の形態から把握できる前記請求項以外の技術思想を以下に述べる。
（１）請求項１乃至５のいずれかにおいて、前記連結コードには緊張装置を設けた。
（２）請求項１乃至５のいずれかにおいて、前記案内部材を前記框内に案内する案内ローラーは、複数の小径の案内ローラーを円弧状に配設して構成した。
【００４４】
【発明の効果】
以上詳述したように、この発明は框の最大移動距離は框の高さに限定されず、かつバリアフリーに対応可能としながら、コストの上昇を抑制し得る框の平行移動装置を提供することができる。
【図面の簡単な説明】
【図１】第一の実施の形態の横引きプリーツカーテンを示す正面図である。
【図２】第一の実施の形態の案内部材を示す正面図である。
【図３】第一の実施の形態の案内部材を示す断面図である。
【図４】第二の実施の形態を示す概略図である。
【図５】第三の実施の形態を示す概略図である。
【図６】第四の実施の形態の横引きプリーツカーテンを示す正面図である。
【符号の説明】
１ａ          固定框
１ｂ          移動框
２ｂ          直角ランナー
６            案内部材
９ａ，９ｂ      ターンローラー
１０ａ，１０ｂ      コード案内ローラー
１２          連結コード
【図１】
0004596654.tif 000002
【図２】
0004596654.tif 000003
【図３】
0004596654.tif 000004
【図４】
0004596654.tif 000005
【図５】
0004596654.tif 000006
【図６】
0004596654.tif 000007